(57)【要約】【課題】デジタルカメラにおいて、無駄な操作や電力消費を防止する。【解決手段】デジタルカメラ１０をクレードル１１に載せて電源ＳＷ３２をオンにすると、システムコントローラ１５はバッテリ３３の電力でＵＳＢコントローラ３０を駆動し、電源供給用端子４１ａの端子電圧によりパソコン４０からの供給電源を検知する。検知できない時は、起動動作に移行することなく電源制御回路３１でバッテリ３３からの供給電源をオフする。供給電源を検知できた時は、電源制御回路３１が電源をバッテリ３３からパソコンからの供給電源に切り替えてシステムコントローラ１５は起動動作に移行する。システムコントローラ１５は、フラッシュメモリ２１に記憶されている設定モードを読み出し、マスストレージモード又はＰＣカメラモードで起動する。設定モードが撮影モード又は再生モードである場合には、起動動作に移行することなく電源制御回路３１で供給電源を遮断する。【選択図】        図１
2005094470.tif 000002
【特許請求の範囲】
【請求項１】
外部機器との接続を仲介するカメラスタンドに載せることにより、撮像素子により撮像されるスルー画の画像データを外部機器に連続的に出力するＰＣカメラモードと、前記カメラスタンドに載せることにより、着脱自在に内蔵する電子記憶媒体を外部機器のストレージとして認識されるようにするマスストレージモードとを備えたデジタルカメラにおいて、
前記カメラスタンドが外部機器に接続されているか否かを判別する判別手段と、前記カメラスタンドが外部機器に接続されている場合にはＰＣカメラモード又はマスストレージモードでの起動を許容し、前記カメラスタンドが外部機器に接続されていない場合には起動を阻止する起動制御手段とを有することを特徴とするデジタルカメラ。
【請求項２】
外部機器との接続を仲介するカメラスタンドに載せることにより、撮像素子により撮像されるスルー画の画像データを外部機器に連続的に出力するＰＣカメラモードと、前記カメラスタンドに載せることにより、着脱自在に内蔵する電子記憶媒体を外部機器のストレージとして認識されるようにするマスストレージモードとを備えたデジタルカメラにおいて、
前記カメラスタンドに載せられているか否かを検出するカメラスタンド検出手段と、前記カメラスタンドが外部機器に接続されているか否かを判別する判別手段と、前記カメラスタンドに三脚が取り付けられているか否かを検出する三脚検出手段と、前記外部機器に接続されたカメラスタンドに載せられている場合にはＰＣカメラモード又はマスストレージモードでの起動を許容し、前記カメラスタンドに載せられていない場合又は外部機器に接続されていないまま三脚が取り付けられたカメラスタンドに載せられている場合には通常撮影モードでの起動を許容し、前記外部機器に接続されていない状態でかつ三脚が取り付けられていないカメラスタンドに載せられている場合には起動を阻止する起動制御手段とを有することを特徴とするデジタルカメラ。
【請求項３】
撮像素子により撮像される画像データを着脱自在に内蔵する電子記憶媒体に記憶する通常撮影モードと、外部機器との接続を仲介するカメラスタンドに載せることにより、撮像素子により撮像されるスルー画の画像データを外部機器に連続的に出力するＰＣカメラモードと、前記カメラスタンドに載せることにより、前記電子記憶媒体を外部機器のストレージとして認識されるようにするマスストレージモードとを備え、撮像された画像を表示する表示装置を有するデジタルカメラにおいて、
前記カメラスタンドが外部機器に接続されているか否かを判別する判別手段と、前記カメラスタンドが外部機器に接続されている場合にはＰＣカメラモード又はマスストレージモードでの起動を許容し、前記カメラスタンドが外部機器に接続されていない場合には起動を許容してから表示装置に警告表示を行う起動制御手段とを有することを特徴とするデジタルカメラ。
【発明の詳細な説明】
【技術分野】
【０００１】
本発明は、外部機器との接続を仲介するカメラスタンドを介してパーソナルコンピュータ等の外部機器とデータ交換を行ったり、ＰＣカメラとして使用するデジタルカメラに関するものである。
【背景技術】
【０００２】
近年、ＣＣＤ等の固体撮像素子を用いて撮像した画像データをデジタルデータとしてメモリカード等の電子記憶媒体に記憶するデジタルカメラが普及してきている。このようなデジタルカメラには、ＵＳＢ(Universal Serial Bus)ケーブルやＩＥＥＥ１３９４ケーブルを用いてパーソナルコンピュータ（以下パソコンという）に接続し、メモリカードから画像データを転送するマスストレージモードや、固体撮像素子が撮像するスルー画を連続してパソコンのディスプレイに送り、テレビ電話用カメラや監視用カメラ等として用いるＰＣカメラモードを備えたものがある（例えば特許文献１）。
【０００３】
また、デジタルカメラは年々小型化され、ＵＳＢ等のケーブルコネクタを直接持たない機種が登場してきている。このようなデジタルカメラは、例えばカメラスタンドや、クレードル・アッセンブリ、ドッキングステーションと呼称されるもの（以下カメラスタンドという）にＵＳＢコネクタを実装し、カメラスタンドに載せることによりはじめて上記マスストレージモードやＰＣカメラモードが使用できるようになる。すなわち、デジタルカメラをマスストレージモードやＰＣカメラモードで使用する場合には、デジタルカメラをカメラスタンドに載せた状態で使用する必要がある。
【０００４】
また、カメラスタンドにデジタルカメラを載せることにより、撮影した画像データをインターネット等のネットワークを介してコンピュータやサーバへ自動的に転送する発明が知られている（例えば特許文献２）。
【０００５】
【特許文献１】特開２００２−２３２７６９号公報
【特許文献２】特開２０００−２３２５９９号公報
【発明の開示】
【発明が解決しようとする課題】
【０００６】
ところが、ユーザがデジタルカメラをマスストレージモードやＰＣカメラモードで使用したいと思い、デジタルカメラをカメラスタンドに載せて電源スイッチをオンにしても、デジタルカメラは通常の撮影モードや再生モードで起動する。したがって、ユーザがデジタルカメラをマスストレージモードかＰＣカメラモードで使用したい場合には、通常の撮影モードや再生モードで起動したデジタルカメラを操作してマスストレージモードやＰＣカメラモードに切り替える必要がある。これは面倒であると同時に、無駄な電力消費に繋がる。
【０００７】
本発明は、上記課題に鑑みてなされたものであり、無駄な操作や電力消費を防止できるようにしたデジタルカメラを提供することを目的とする。
【課題を解決するための手段】
【０００８】
本発明は、外部機器との接続を仲介するカメラスタンドに載せることにより、撮像素子により撮像されるスルー画の画像データを外部機器に連続的に出力するＰＣカメラモードと、前記カメラスタンドに載せることにより、着脱自在に内蔵する電子記憶媒体を外部機器のストレージとして認識されるようにするマスストレージモードとを備えたデジタルカメラにおいて、前記カメラスタンドが外部機器に接続されているか否かを判別する判別手段と、前記カメラスタンドが外部機器に接続されている場合にはＰＣカメラモード又はマスストレージモードでの起動を許容し、前記カメラスタンドが外部機器に接続されていない場合には起動を阻止する起動制御手段とを有することを最も主要な特徴とする。
【０００９】
また、外部機器との接続を仲介するカメラスタンドに載せることにより、撮像素子により撮像されるスルー画の画像データを外部機器に連続的に出力するＰＣカメラモードと、前記カメラスタンドに載せることにより、着脱自在に内蔵する電子記憶媒体を外部機器のストレージとして認識されるようにするマスストレージモードとを備えたデジタルカメラにおいて、前記カメラスタンドに載せられているか否かを検出するカメラスタンド検出手段と、前記カメラスタンドが外部機器に接続されているか否かを判別する判別手段と、前記カメラスタンドに三脚が取り付けられているか否かを検出する三脚検出手段と、前記外部機器に接続されたカメラスタンドに載せられている場合にはＰＣカメラモード又はマスストレージモードでの起動を許容し、前記カメラスタンドに載せられていない場合又は外部機器に接続されていないまま三脚が取り付けられたカメラスタンドに載せられている場合には通常撮影モードでの起動を許容し、前記外部機器に接続されていない状態でかつ三脚が取り付けられていないカメラスタンドに載せられている場合には起動を阻止する起動制御手段とを有することを特徴とする。
【００１０】
また、撮像素子により撮像される画像データを着脱自在に内蔵する電子記憶媒体に記憶する通常撮影モードと、外部機器との接続を仲介するカメラスタンドに載せることにより、撮像素子により撮像されるスルー画の画像データを外部機器に連続的に出力するＰＣカメラモードと、前記カメラスタンドに載せることにより、前記電子記憶媒体を外部機器のストレージとして認識されるようにするマスストレージモードとを備え、撮像された画像を表示する表示装置を有するデジタルカメラにおいて、前記カメラスタンドが外部機器に接続されているか否かを判別する判別手段と、前記カメラスタンドが外部機器に接続されている場合にはＰＣカメラモード又はマスストレージモードでの起動を許容し、前記カメラスタンドが外部機器に接続されていない場合には起動を許容してから表示装置に警告表示を行う起動制御手段とを有することを特徴とする。
【発明の効果】
【００１１】
本発明のデジタルカメラは、カメラスタンドが外部機器に接続されているか否かを判別し、これによってカメラスタンドが外部機器に接続されている場合にはＰＣカメラモード又はマスストレージモードでの起動を許容し、カメラスタンドが外部機器に接続されていない場合には起動を阻止するようにしたので、無駄な操作や無駄な電力消費を防止できる。
【００１２】
また、デジタルカメラがカメラスタンドに載せられているか否か、カメラスタンドが外部機器に接続されているか否か、またカメラスタンドに三脚が取り付けられているか否かをそれぞれ検出し、デジタルカメラがカメラスタンドに載せられ、かつカメラスタンドが外部機器に接続されている場合にはＰＣカメラモード又はマスストレージモードでの起動を許容し、デジタルカメラがカメラスタンドに載せられていない場合、又はカメラスタンドに載せられているが、カメラスタンドが外部機器に接続されていないまま三脚が取り付けられている場合には通常撮影モードでの起動を許容し、カメラスタンドに載せられているが、カメラスタンドが外部機器に接続されていない状態でかつ三脚が取り付けられていない場合には起動を阻止するようにしたので、無駄な操作や無駄な電力消費を防止できる。
【００１３】
また、カメラスタンドが外部機器に接続されているか否かを判別し、カメラスタンドが外部機器に接続されている場合にはＰＣカメラモード又はマスストレージモードでの起動を許容し、カメラスタンドが外部機器に接続されていない場合には起動を許容してから表示装置に警告表示を行うようにしたので、デジタルカメラがＰＣカメラモード又はマスストレージモードで起動しない場合でも、ユーザがデジタルカメラが故障ではないかと疑ったり、戸惑ったりすることなく、適切な操作を迅速に行うことができ、結果として無駄な操作や無駄な電力消費を防止できる。
【発明を実施するための最良の形態】
【００１４】
本発明の第１実施形態であるデジタルカメラ１０と、これを載せるカメラスタンド（以下クレードルという）１１の電気的構成を示す図１において、デジタルカメラ１０には、システムコントローラ１５が設けられており、このシステムコントローラ１５は、シャッタボタン１６，ズームボタン１７、及び操作部１８から入力される各操作信号に基づきデジタルカメラ１０の各部を統括的に制御する。また、システムコントローラ１５は、クレードル１１がパソコンに接続されているか否かを判別する判別手段としての機能と、デジタルカメラ１０の起動を許容又は阻止する起動制御手段としての機能も有する。
【００１５】
前記操作部１８の操作により各種のモード設定を行うことができる。このモードには、通常の撮影モード，再生モードの他、マスストレージモードやＰＣカメラモード等がある。前記マスストレージモードは、デジタルカメラ１０のメモリカード２４がパソコン側から見てパソコンの外部記憶装置と見做されるようにするもので、メモリカード２４に記憶してある画像データなどをパソコンのハードディスクにコピーしたり、不要な画像データなどを削除する等の操作を簡単に行うことができる。なお、メモリカード２４には、画像データの他、音声データやメモデータなども記憶できる。
【００１６】
前記ＰＣカメラモードは、後述する撮像部２３で撮影されるスルー画をそのままパソコンのディスプレイに表示するモードであり、ＬＡＮなどで接続されたパソコン同士でテレビ電話（テレビ会議）をするときやインターネットを通じて風景や室内を中継するとき等に使用される。
【００１７】
フラッシュメモリ２１には、各種制御用のプログラムが予め記憶されている他、ユーザが設定したモード情報などが記憶される。システムコントローラ１５は、これらの情報をフラッシュメモリ２１から、作業用メモリであるＲＡＭ２２にロードして、各種の処理を実行する。ＲＡＭ２２としては、例えばＳＤＲＡＭが使用される。
【００１８】
撮影モードでは、シャッタボタン１６が押されると、撮像部２３によって撮像が行われ、撮像された画像データが、メモリカード２４に記録される。撮像部２３は、撮像レンズ，ＣＣＤイメージセンサ，ズーミングや焦点調節を行うためのレンズ移動機構，絞り切り換え機構等からなる。
【００１９】
ＣＣＤイメージセンサは、周知のように、被写体光を光電変換してアナログの撮像信号に変換する。アナログの撮像信号は、Ａ／Ｄコンバータによってデジタルデータに変換された後、ＲＡＭ２２に一時的に書き込まれる。画像処理部２５は、ＲＡＭ２２に書き込まれた画像データに対して、ガンマ補正，シャープネス補正，コントラスト補正等の各種画質補正処理を施した後、処理済みのデータをＪＰＥＧなどの圧縮形式で圧縮する。この圧縮された画像データが、メディアコントローラ２６によってメモリカード２４に書き込まれる。
【００２０】
再生モードでは、メモリカード２４から画像が読み出されて、画像処理部２５において、伸張処理がされた後リサイズ処理が施され、画素数の少ない表示用画像データが作成される。この表示用画像データがＲＡＭ２２内のＶＲＡＭエリアに書き込まれる。ビデオエンコーダ２７は、表示用画像データをアナログのコンポジット信号に変換して画像表示用のＬＣＤ２８に出力する。これによりＬＣＤ２８に画像が再生表示される。
【００２１】
さらに、システムコントローラ１５には、ＵＳＢコントローラ３０と、電源制御回路３１とが接続されている。この電源制御回路３１には、電源スイッチ３２を介してバッテリ３３が接続される。電源制御回路３１は、バッテリ３３やクレードル１１から供給されるＵＳＢバス電源をデジタルカメラ１０内の各部に分配する。前記バッテリ３３には、例えばデジタルカメラ１０のバッテリ室に着脱自在にセットされる充電式リチウムイオンバッテリが使用される。なお、符号１４はユーザに警告などを音で知らせるスピーカ部である。
【００２２】
前記ＵＳＢコントローラ３０は、一方のラインがシステムコントローラ１５に接続され、反対側のラインが接続コネクタ３４に接続されている。この接続コネクタ３４は、デジタルカメラ１０をクレードル１１に載せることにより、クレードル１１の接続端子３５と接続される。この接続端子３５はＵＳＢコネクタ３６に接続されている。このＵＳＢコネクタ３６は、ＵＳＢケーブル３８により、外部機器としてのパソコン４０のＵＳＢコネクタ４１に接続される。
【００２３】
ＵＳＢコネクタ３６は、周知のように、ＵＳＢバス電源である電源供給用端子（ＶＢＳ）３６ａ，グランド用端子（ＧＮＤ）３６ｂと、２つのデータ転送用の信号端子（Ｄ＋，Ｄ−）３６ｃ，３６ｄとを有する。また同様に、ＵＳＢコネクタ４１は、ＵＳＢバス電源の電源供給用端子４１ａ，グランド用端子４１ｂと、信号端子（Ｄ＋，Ｄ−）４１ｃ，４１ｄとを有する。また、パソコン４０のＵＳＢコネクタ４１にはＵＳＢホスト機能を有するＵＳＢコントローラ４２が接続され、このＵＳＢコントローラ４２にはＣＰＵ４３が接続されている。
【００２４】
ＵＳＢコントローラ３０は、デジタルカメラ１０をクレードル１１に載せることにより接続コネクタ３４と接続端子３５とが接続され、かつクレードル１１のＵＳＢコネクタ３６がＵＳＢケーブル３８によりパソコン４０のＵＳＢコネクタ４１に接続されている場合に、パソコン４０から供給される電源を検知してパソコン４０と繋がっていることをシステムコントローラ１５に知らせる。
【００２５】
このように構成されたデジタルカメラ１０の作用を図２のフローチャートを参照して説明する。ユーザは予め操作部１８を操作し、デジタルカメラ１０をクレードル１１に載せて電源スイッチ３２をオンにした際に、デジタルカメラ１０がいずれのモードで起動するかを設定しておく。このユーザによって設定されたモードは、フラッシュメモリ２１に記憶される。本実施形態では、例えばマスストレージモードで起動されるように設定しておく。
【００２６】
デジタルカメラ１０をクレードル１１に載せて電源スイッチ３２をオン操作すると（ｓ１）、デジタルカメラ１０のシステムコントローラ１５は、バッテリ３３の電力を用いてＵＳＢコントローラ３０を駆動し、電源供給用端子４１ａの端子電圧により、パソコン４０からの供給電源を検知する（ｓ２）。
【００２７】
クレードル１１がパソコン４０とＵＳＢケーブル３８で接続されていない、又はＵＳＢケーブル３８で接続されていてもパソコン４０が起動していない場合には、ＵＳＢコントローラ３０がパソコン４０からの供給電源を検知できない。この場合には、システムコントローラ１５は、デジタルカメラ１０の起動動作に移行することなく、電源制御回路３１によりバッテリ３３からの供給電源を遮断（電源オフ）する（ｓ３）。これにより、バッテリ３３の無駄な電力消費が防止される。
【００２８】
クレードル１１が起動したパソコン４０と接続されている場合には、ＵＳＢコントローラ３０がパソコン４０からの供給電源を検知してシステムコントローラ１５に知らせる。システムコントローラ１５からの指令により、電源制御回路３１は、バッテリ３３からの電源供給を遮断し、代わりにパソコン４０からの供給電源を各部に供給する。
【００２９】
システムコントローラ１５は、パソコン４０からの供給電源を受け、起動動作に移行する。システムコントローラ１５は、フラッシュメモリ２１に記憶されている設定モードを読み出し、この設定モードがマスストレージモード又はＰＣカメラモードであるか否かを確認する（ｓ４）。
【００３０】
フラッシュメモリ２１に記憶されている設定モードがマスストレージモード又はＰＣカメラモードである場合には、そのいずれか設定されている方で、本実施形態ではマスストレージモードで、システムコントローラ１５はデジタルカメラ１０を起動する（ｓ５）。
【００３１】
前記設定モードがマスストレージモード又はＰＣカメラモードではなく、撮影モード又は再生モードである場合には、システムコントローラ１５は、起動動作に移行することなく、電源制御回路３１に指令してパソコン４０からの供給電源を遮断（電源オフ）する（ｓ３）。
【００３２】
マスストレージモードで起動したデジタルカメラ１０のメモリカード２４は、パソコン４０側からは１つのローカルディスクとして認識され、パソコン４０のディスプレイ（図示せず）にその内容が表示される。これにより、ユーザはパソコン４０を操作して、所望の画像データをパソコン４０のハードディスクにコピーしたり、不要な画像データを削除する等を自由に行うことができる。
【００３３】
また、ＰＣカメラモードで起動されるように設定しておいた場合には、システムコントローラ１５はデジタルカメラ１０をＰＣカメラモードで起動する。ＰＣカメラモードで起動したデジタルカメラ１０は、撮像部２３を連続駆動し、スルー画の画像データをＵＳＢケーブル３８を通してパソコン４０に送る。パソコン４０は、デジタルカメラ１０から受け取ったスルー画をディスプレイに連続表示する。これにより、テレビ会議システムやセキュリティシステムなどを簡単に構築できる。
【００３４】
次に、第２実施形態のデジタルカメラ５０を示す図３において、クレードル５１は電源スイッチ３７を備えている。前記電源スイッチ３７は、電源供給用端子４１ａから電源が供給されている状態でオン操作を行うと、Ｈレベルの信号を出力するプルアップ抵抗が組み込まれたＩＣチップを有している。また、デジタルカメラ５０のシステムコントローラ５２の内部には、検出部５２ａが設けられている。
【００３５】
前記検出部５２ａは、デジタルカメラ５０がクレードル５１に載せられ、かつクレードル５１が起動したパソコン４０に接続され、かつ電源スイッチ３７がオン操作されたときに、接続コネクタ３４からＵＳＢコントローラ３０を経由して送られてきたＨレベルの信号を検出する。
【００３６】
デジタルカメラ５０がクレードル５１に設置されていない、クレードル５１が起動したパソコン４０に接続されていない、電源スイッチ３７がオン操作されていない、のいずれかのとき、すなわち、電源スイッチ３７からＨレベルの信号が送られてこないときには、検出部５２ａはプルダウンされ、Ｌレベルの信号を検出するように構成された検出回路となっている。
【００３７】
このように構成されたデジタルカメラ５０をクレードル５１に載せてから電源スイッチ３７を操作すると、起動したパソコン４０がクレードル５１にＵＳＢ接続されている場合に、パソコン４０からの供給電源を受けて電源スイッチ３７からＨレベルの信号がＵＳＢコントローラ３０を介してシステムコントローラ５２に送られ、これを検出部５２ａが検出する。
【００３８】
なお、起動したパソコン４０がクレードル５１にＵＳＢ接続されていない場合には、電源スイッチ３７を操作しても電源スイッチ３７からＨレベルの信号がシステムコントローラ５２に送られることがないから、デジタルカメラ５０は起動しない。
【００３９】
検出部５２ａがＨレベルの信号を検出すると、システムコントローラ５２はパソコン４０からの供給電源を用いて起動動作に移行し、フラッシュメモリ２１に記憶されている設定モードを読み出す。この設定モードがマスストレージモード又はＰＣカメラモードである場合に、システムコントローラ５２は起動動作を続行し、設定されたモードでデジタルカメラ１０を起動する。前記設定モードが撮影モード又は再生モードである場合には、システムコントローラ５２は、起動動作を中止してパソコン４０からの供給電源を遮断（電源オフ）する。
【００４０】
次に、第３実施形態のデジタルカメラ６０を示す図４において、クレードル６１には、三脚６２の雄ねじ６３をねじ込むことにより、三脚６２をクレードル６１に取り付ける三脚取付用雌ねじ６４が設けられている。この三脚取付用雌ねじ６４の内側には、雄ねじ６３に押されてオンされる三脚検出スイッチ６５が設けられている。この三脚検出スイッチ６５は、接続端子３５及び接続コネクタ３４を介してシステムコントローラ６７の三脚検出ポート６７ａに接続されている。
【００４１】
また、デジタルカメラ６０の底面には、デジタルカメラ６０をクレードル６１に載せることによりクレードル６１を検出してその検出信号をデジタルカメラ６０のシステムコントローラ６７のクレードル検出ポート６７ｂに出力するクレードル検出センサ６８が設けられている。なお、起動しているパソコン４０がクレードルにＵＳＢ接続されているか否かの検出は、上記第１，２実施形態と同様に行われる。
【００４２】
図５のフローチャートに示すように、電源スイッチ３２をオンにすると（ｓ１）、システムコントローラ６７はまずフラッシュメモリ２１から起動用プログラムをＲＡＭ２２にロードし、実行する。これにより、まずクレードル検出センサ６８からの検出信号がチェックされる（ｓ６）。
【００４３】
デジタルカメラ６０がクレードル６１に載せられていない状態であれば、クレードル検出センサ６８からの検出信号がＬレベルになるから、デジタルカメラ６０はバッテリ３３の供給電源を用いて通常の撮影モードで起動される（ｓ７）。
【００４４】
デジタルカメラ６０がクレードル６１に載せられている状態では、クレードル検出センサ６８からの検出信号がＨレベルになるから、次にＵＳＢコントローラ３０がパソコン４０からの供給電源をチェックする（ｓ２）。
【００４５】
パソコン４０からの供給が検出されない場合には、クレードル６１が起動中のパソコン４０に接続されていないから、次にクレードル６１に三脚６２が取り付けられているか否かが、三脚検出ポート６７ａの信号レベルによりチェックされる（ｓ８）。
【００４６】
三脚検出スイッチ６５がオンになっていれば、三脚検出ポート６７ａにＨレベルの信号が入力されるから、デジタルカメラ６０はバッテリ３３の供給電源を用いて通常の撮影モードで起動される（ｓ７）。三脚検出スイッチ６５がオフであれば、三脚検出ポート６７ａはＬレベルのままであるから、電源制御回路３１によりバッテリ３３からの供給電源を遮断（電源オフ）する（ｓ３）。
【００４７】
ＵＳＢコントローラ３０によりパソコン４０からの供給電源が検出された場合には、設定モードがマスストレージモード又はＰＣカメラモードであるかがチェックされる（ｓ４）。設定モードがマスストレージモード又はＰＣカメラモードであれば、その設定されたいずれかのモードで起動される（ｓ５）。
【００４８】
また、設定モードが、マスストレージモードでもＰＣカメラモードでもなく、撮影モードや再生モードであれば、システムコントローラ６７は電源制御回路３１に指令してパソコン４０からの供給電源を遮断（電源オフ）する（ｓ３）。なお、電源スイッチを第２実施形態と同様にクレードル側に設けることもできる。
【００４９】
上記第１，２実施形態では、パソコン４０からの供給電源を検出できない場合、すなわちクレードルが起動中のパソコンに接続されていない場合には、電源の無駄遣いを防止するため、電源オフしてデジタルカメラを起動しないようにし、また第３実施形態では、パソコン４０からの供給電源を検出できず、かつ三脚も検出できない場合に電源オフしてデジタルカメラを起動しないようにしたが、ユーザがデジタルカメラの故障ではないかと疑ったり、戸惑ったりする場合もあり得る。
【００５０】
そこで、第４実施形態では、図６のフローチャートに示すように、パソコン４０からの供給電源を検出できない場合には、デジタルカメラが起動し、ＬＣＤ２８に、クレードルがパソコン４０にＵＳＢ接続されていない旨を表示するようにしてもよい（ｓ９）。これにより、ユーザがデジタルカメラを故障ではないかと疑ったり、戸惑ったりすることがなく、クレードルとパソコンとのＵＳＢ接続の状態を確認するなどの適切な処置を速やかにとることができる。なお、第４実施形態の電気的な構成は、第１実施形態と同じである。また、各フローチャート中で同じ内容のステップには、同じステップ番号（ｓ１，ｓ２等）を付してある。
【００５１】
以上説明した実施形態では、外部機器としてパソコンを使用したが、ＵＳＢホスト機能を有していれば、他の機器、例えばメモリーカードから画像データを読み出して保存用記録メディアに書き込む画像ファイリング装置を用いることもできる。
【００５２】
また、上記実施形態では、ＵＳＢインタフェースを使用しているが、通信インタフェースとしては、ＵＳＢインタフェースの他に、例えば、ＩＥＥＥ１３９４インタフェースを使用してもよい。また、ケーブルを使用して有線通信を行う他、例えば、ＩＥＥＥ８０２．０１規格やＢｌｕｅｔｏｏｔｈ規格などによるワイヤレスで通信を行うようにしてもよい。
【産業上の利用可能性】
【００５３】
テレビ電話や監視カメラとして簡単に使えるので、在宅治療や老人福祉医療の面にも応用可能である。
【図面の簡単な説明】
【００５４】
【図１】第１実施形態であるデジタルカメラの電気的な構成を示すブロック図である。
【図２】第１実施形態の主なシーケンスを示すフローチャートである。
【図３】第２実施形態であるデジタルカメラの電気的な構成を示すブロック図である。
【図４】第３実施形態であるデジタルカメラの電気的な構成を示すブロック図である。
【図５】第３実施形態の主なシーケンスを示すフローチャートである。
【図６】第４実施形態の主なシーケンスを示すフローチャートである。
【符号の説明】
【００５５】
１０，５０，６０  デジタルカメラ
１１，５１，６１  クレードル
１５，５２，６７  システムコントローラ
２４  メモリカード
２８  ＬＣＤ
３０，４２  ＵＳＢコントローラ
３１  電源制御回路
３２，３７  電源スイッチ
３３  バッテリ
３６，４１  ＵＳＢコネクタ
３６ａ，４１ａ  電源供給用端子
３８  ＵＳＢケーブル
４０  パソコン
５２ａ  検出部
６２  三脚
６５  三脚検出スイッチ
６７ａ  三脚検出ポート
６７ｂ  クレードル検出ポート
６８  クレードル検出センサ
【図１】
2005094470.tif 000003
【図２】
2005094470.tif 000004
【図３】
2005094470.tif 000005
【図４】
2005094470.tif 000006
【図５】
2005094470.tif 000007
【図６】
2005094470.tif 000008